(57)【要約】【課題】  ねじれや歪み等の変形、断熱ブリッジ材の破損を防止できる湾曲したドア上枠の提供。【解決手段】  上方に凸に湾曲した形材であって、室外側部材２と室内側部材３と両部材を連結する断熱ブリッジ材４とを備え、室外側部材４は中空部３０を有する室外側本体部７と、室外側本体部７の室内側から上方に延出する躯体固定片５を有し、室内側部材３は室内側本体部２０と、室内側本体部２０の室外側から下方に延出する戸当り片６を有し、断熱ブリッジ材４は、室外側部材２及び室内側部材３にかしめ連結してあり、室外側本体部７の室内側面と室内側本体部２０の室外側面との間に配置してある。【選択図】      図１
2010071063.tif 000002
【特許請求の範囲】
【請求項１】
上方に凸に湾曲した形材であって、室外側部材と室内側部材と両部材を連結する断熱ブリッジ材とを備え、室外側部材は中空部を有する室外側本体部と、室外側本体部の室内側から上方に延出する躯体固定片を有し、室内側部材は室内側本体部と、室内側本体部の室外側から下方に延出する戸当り片を有し、断熱ブリッジ材は、室外側部材及び室内側部材にかしめ連結してあり、室外側本体部の室内側面と室内側本体部の室外側面との間に配置してあることを特徴とするドア上枠。
【請求項２】
室外側部材は、室外側本体部が略矩形断面に形成してあり、室外側本体部の室外側の上側及び室内側の下側のコーナー部付近の肉厚を室外側の下側及び室内側の上側のコーナー部付近よりも厚くしたことを特徴とする請求項１記載のドア上枠。
【請求項３】
室外側部材及び室内側部材の断熱ブリッジ材のかしめ溝に滑り止め加工がされていないことを特徴とする請求項１又は２記載のドア上枠。
【請求項４】
ドア枠と扉体とを備え、扉体は上部がアール状に膨らんだものであり、ドア枠は請求項１〜３のいずれかに記載のドア上枠を有していることを特徴とするドア。
【発明の詳細な説明】
【技術分野】
【０００１】
本発明は、上方に凸に湾曲したドア上枠と、そのドア上枠を用いたドアに関する。
【背景技術】
【０００２】
ドアに断熱性を持たせるため、ドア枠の上枠や竪枠に室外側部材と室内側部材と両部材を連結する断熱ブリッジ材とからなる断熱形材を用いることが知られている。かかる断熱形材は、アルミ形材に長手方向に形成した溝に樹脂を流し込んで固化させて断熱ブリッジ材を形成している。断熱ブリッジ材は、アルミ形材の溝内に隙間無く充填され強固に接着している。
本出願人は、欧風の外観ファザードに対する顧客のニーズに応えるべく、上辺がアール状に膨らんだ形状のドアを提供している。このタイプのドアにも断熱仕様のものがあったが、ドア枠は竪枠のみが断熱形材で上枠は断熱形材ではなかった（非特許文献１参照。）。というのも、断熱形材は室外側部材と室内側部材との間に強度の弱い断熱ブリッジ材が介在しているため、これをアール状に曲げ加工すると、形材にねじれや歪み等の変形が生じたり、断熱ブリッジ材に破損が生じたりしやすいからである。断熱ブリッジ材の破損を防止するために、断熱ブリッジ材が変形しやすいように加熱した上で曲げ加工を行うことが考えられるが、形材にラミネート加工がしてあると、加熱することでラミネートしたフィルムが浮き上がったり破損したりする不都合がある。
【非特許文献１】三協立山アルミ株式会社発行のカタログ「玄関ドア  総合カタログ」（カタログＮｏ．ＳＴＪ０３００Ａ  Ｙ．０８．０３−５００）、第１版、２００８年３月、ｐ．７４６−７４７
【発明の開示】
【発明が解決しようとする課題】
【０００３】
本発明は以上に述べた実情に鑑み、ねじれや歪み等の変形、断熱ブリッジ材の破損を防止できる湾曲したドア上枠及びドアの提供を目的とする。
【課題を解決するための手段】
【０００４】
上記の課題を達成するために請求項１記載の発明によるドア上枠は、上方に凸に湾曲した形材であって、室外側部材と室内側部材と両部材を連結する断熱ブリッジ材とを備え、室外側部材は中空部を有する室外側本体部と、室外側本体部の室内側から上方に延出する躯体固定片を有し、室内側部材は室内側本体部と、室内側本体部の室外側から下方に延出する戸当り片を有し、断熱ブリッジ材は、室外側部材及び室内側部材にかしめ連結してあり、室外側本体部の室内側面と室内側本体部の室外側面との間に配置してあることを特徴とする。
【０００５】
請求項２記載の発明によるドア上枠は、請求項１記載の発明の構成に加え、室外側部材は、室外側本体部が略矩形断面に形成してあり、室外側本体部の室外側の上側及び室内側の下側のコーナー部付近の肉厚を室外側の下側及び室内側の上側のコーナー部付近よりも厚くしたことを特徴とする。
【０００６】
請求項３記載の発明によるドア上枠は、請求項１又は２記載の発明の構成に加え、室外側部材及び室内側部材の断熱ブリッジ材のかしめ溝に滑り止め加工がされていないことを特徴とする。滑り止め加工とは、工具を使用してかしめ溝の表面をギザギザに加工するナーリング加工や、薬品を用いてかしめ溝の表面を粗くする等して摩擦抵抗を大きくするような加工のことをいい、本発明は、かしめ溝にそのような滑り止め加工を特段行わないものである。
【０００７】
請求項４記載の発明によるドアは、ドア枠と扉体とを備え、扉体は上部がアール状に膨らんだものであり、ドア枠は請求項１〜３のいずれかに記載のドア上枠を有していることを特徴とする。
【発明の効果】
【０００８】
請求項１記載の発明によるドア上枠は、断熱ブリッジ材を室外側部材と室内側部材とにかしめ連結した後曲げ加工すると、躯体固定片が引っ張り応力を負担し戸当り片が圧縮応力を負担することとなり、この応力分担により形材のねじれ等の変形を防止することができ、また断熱ブリッジ材は室外側本体部の室内側面と室内側本体部の室外側面との間に配置してあり、引っ張り・圧縮応力の負担が小さくなるので、断熱ブリッジ材の破損を防止できる。また本発明のドア上枠は、断熱ブリッジ材を室外側部材及び室内側部材にかしめ連結したものであり、加熱せずに曲げ加工を行っても断熱ブリッジ材の破損を防止できるため、ラミネート加工をしたものにも対応できる。
【０００９】
請求項２記載の発明によるドア上枠は、室外側本体部が略矩形断面に形成してあり、室外側本体部の室外側の上側及び室内側の下側のコーナー部付近の肉厚を室外側の下側及び室内側の上側のコーナー部付近よりも厚くしたことで、上下方向及び室内外方向の強度的なバランスが良くなるため、ねじれ等の変形をより一層確実に防止できる。
【００１０】
請求項３記載の発明によるドア上枠は、室外側部材及び室内側部材の断熱ブリッジ材のかしめ溝に滑り止め加工がされていないことで、断熱ブリッジ材を室外側部材と室内側部材とにかしめ連結して曲げ加工する際に、室外側部材及び室内側部材と断熱ブリッジ材との間で滑りが生じやすくなるため、これにより断熱ブリッジ材の破損をより確実に防止できる。
【００１１】
請求項４記載の発明によるドアは、請求項１〜３のいずれかに記載のドア上枠を用いることで、上部がアール状に膨らむ扉体を使用するドアの断熱性を向上でき、しかもドア上枠のねじれ等の変形を防止して、高品質のドアを安定して提供できる。
【発明を実施するための最良の形態】
【００１２】
以下、本発明の実施の形態を図面に基づいて説明する。図３は玄関ドアの室外側正面図であり、図２はこの玄関ドアの縦断面図、図１はこの玄関ドアの上枠を拡大して示す縦断面図である。この玄関ドアは、図３に示すように、上枠１と下枠１０と左右の竪枠１１，１１を枠組みしてなるドア枠１２と、ドア枠１２の一方の竪枠１１に蝶番１３で取付けた扉体１４とを備えている。扉体１４は、上部１４ａがアール状に膨らんだ形状となっており、ドア上枠１は扉体１４のアールに沿って上方に凸に湾曲している。
【００１３】
ドア上枠１は、図１，２に示すように、アルミ合金の押出形材で形成した室外側部材２及び室内側部材３と、両部材を連結する樹脂製の断熱ブリッジ材４とを有している。断熱ブリッジ材４は、上下方向に間隔をあけて２つ配置してあり、それぞれ室内外方向の端部を室外側部材２と室内側部材３とにかしめ連結してある。
【００１４】
室外側部材２は、中空部３０を有する略矩形断面の室外側本体部７と、室外側本体部７の室内側から上方に延出する躯体固定片５を有している。室外側本体部７の上面壁７ａは、室外側に向かって次第に肉厚が厚くなるテーパー状肉厚部１５ａを設け、室外側の肉厚Ｔ１を室内側の肉厚Ｔ８よりも厚くしてある。室外側本体部７の室外側壁７ｂは、上側に向かって次第に肉厚が厚くなるテーパー状肉厚部１５ｂを設け、上側の肉厚Ｔ２を下側の肉厚Ｔ３よりも厚くしてある。室外側本体部７の下面壁７ｃは、室外側端部にタイト材保持溝１６を形成すると共に、中間部に室内側に向かって次第に肉厚が厚くなるテーパー状肉厚部１５ｃを設け、室内側の肉厚Ｔ５を室外側の肉厚Ｔ４よりも厚くしてある。また、前記下面壁７ｃのテーパー状肉厚部１５ｃよりも室外側には、上枠１を竪枠１１とネジ止めするネジのためのタッピングホール１７ａが上方に開口して設けてある。室外側本体部７の室内側壁７ｄは、上部をクランク状に曲げて凹部１８が形成してあり、下側の肉厚Ｔ６を上側の肉厚Ｔ７よりも厚くしてある。凹部１８のコーナー部には、タッピングホール１７ｂが上方に開口して設けてある。肉厚に関して室外側本体部７全体として見れば、室外側の上側及び室内側の下側のコーナー部１９ａ，１９ｃ付近の肉厚Ｔ１，Ｔ２，Ｔ５，Ｔ６が、室外側の下側及び室内側の上側のコーナー部１９ｂ，１９ｄ付近の肉厚Ｔ３，Ｔ４，Ｔ７，Ｔ８よりも厚くなっている。一つの壁の一方側と他方側で肉厚を違わせるためにテーパー状肉厚部１５ａ，１５ｂ，１５ｃを設けているのは、押出性を良くするためである。室内側壁７ｄの上部と下部には、断熱ブリッジ材４のかしめ溝２３が室内側に開口して設けてある。かしめ溝２３には、ナーリング加工等の滑り止め加工が施されていない。
【００１５】
室内側部材３は、上方に開口したコ字状断面の室内側本体部２０と、室内側本体部２０の室外側から下方に延出した戸当り片６を有している。室内側本体部２０の室外側壁２０ａは、室外側本体部７の室内側壁７ｄの下側の肉厚を厚くした部分と対向しており、且つ中間部にテーパー状肉厚部２１を設け、上側の肉厚Ｔ９を下側の肉厚Ｔ１０よりも厚くしてある。室内側本体部２０の下面壁２０ｂには、タッピングホール１７ｃが上方に開口して設けてある。戸当り片６の下端部には、タイト材保持溝２２が室外側に開口して設けてある。室内側本体部２０の室内側壁２０ｃと戸当り片６の肉厚は、室内側本体部２０の室外側壁２０ａ及び下面壁２０ｂの肉厚よりも薄くしてある。室外側壁２０ａの上部と下部には、断熱ブリッジ材４のかしめ溝２３が室外側に開口して設けてある。かしめ溝２３には、ナーリング加工等の滑り止め加工が施されていない。
断熱ブリッジ材４は、室外側本体部７の室内側面と室内側本体部２０の室外側面との間に配置してあり、上下方向では躯体固定片５と戸当り片６との間に位置している。
【００１６】
本ドア上枠１は、室外側部材２と室内側部材３と断熱ブリッジ材４とを別々に押出成形し、断熱ブリッジ材４の膨らんだ端部を室外側部材２の室外側本体部７の室内側壁７ｄと室内側部材３の室内側本体部２０の室外側壁２０ａとに形成されたかしめ溝２３に挿入し、かしめ片２４をかしめることで各部材を一体化し、その後に曲げ加工を行って湾曲させる。まっすぐなドア上枠の場合には、室外側部材２及び室内側部材３と断熱ブリッジ材４との間で滑りが生じないように、かしめ溝２３にナーリング加工等の滑り止め加工を施しており、尚且つかしめ片２４を強くかしめる必要があるが、本ドア上枠１ではかしめ溝２３にナーリング加工等の滑り止め加工をせず、且つかしめ片２４のかしめ力を弱めにすることで、曲げ加工の際に室外側部材２及び室内側部材３と断熱ブリッジ材４との間で滑りが生じるようにしている。そうすることで曲げ加工時に断熱ブリッジ材４に破損が生じるのを防止できるし、曲げ加工後には断熱ブリッジ材４は撓むことで室外側・室内側部材２，３のかしめ溝２３内に固定されるからである。
曲げ加工は、図４に示すように、ドア上枠１の両端部に型２５ａ，２５ｂを嵌めて断面を拘束した上で、円弧状の型２５ｃに押し付けるようにして湾曲させる。
【００１７】
断熱ブリッジ材４を室外側部材２と室内側部材３との間に注型して連結したものでは、曲げ加工時に室外側部材２及び室内側部材３と断熱ブリッジ材４との間に滑りが生じないため、断熱ブリッジ材４に破損が生じやすく、これを防止するには加熱した状態で曲げ加工を行う必要がある。室外側部材２及び室内側部材３にラミネート加工がしてあると、加熱したときにラミネートしたフィルムが浮き上がったり破損したりする。本ドア上枠１は、断熱ブリッジ材３を室外側部材２及び室内側部材３にかしめ連結したものであり、加熱せずに曲げ加工を行っても断熱ブリッジ材４の破損を防止できるため、ラミネート加工をしたものにも対応できる利点がある。
【００１８】
本ドア上枠１は、曲げ加工の際に躯体固定片５が引っ張り応力を負担し、戸当り片６が圧縮応力を負担し、この応力分担により形材のねじれや歪み等の変形を防止することができ、また断熱ブリッジ材４，４は躯体固定片５と戸当り片６の中間にあって、応力負担の最も小さい中立軸近傍に位置するため、強度の弱い断熱ブリッジ材４の破損を防止できる。さらに本ドア上枠１は、略矩形断面に形成された室外側本体部７の室外側の上側及び室内側の下側のコーナー部１９ａ，１９ｃ付近の肉厚Ｔ１，Ｔ２，Ｔ５，Ｔ６を室外側の下側及び室内側の上側のコーナー部１９ｂ，１９ｄ付近の肉厚Ｔ３，Ｔ４，Ｔ７，Ｔ８よりも厚くしたことで、上下方向及び室内外方向の強度的なバランスが良くなるため、ねじれや断面形状の歪みをより一層確実に防止できる。さらに室内側本体部２０の室外側壁２０ａを、上側の肉厚Ｔ９を下側の肉厚Ｔ１０よりも厚く形成してあることで、下方に延出する戸当り片６とのバランスがとれるため、ねじれを防止する効果が高められる。また、断熱ブリッジ材４を上下に間隔をあけて２つ設けたことで、室外側部材２と室内側部材３の対向する壁７ｄ，２０ａを平行状態に確実に維持することができ、ねじれ等の変形を防止する効果が一層高められる。タッピングホール１７ａ，１７ｂ，１７ｃは、上方に開口して設けたことで曲げ加工を行っても変形が小さく抑えられ、ネジの挿入に支障がない。
【００１９】
湾曲させたドア上枠１は、タッピングホール１７ａ，１７ｂ，１７ｃに捻じ込まれるネジにより左右の竪枠１１の上端部と連結され、図２に示すように、室外側部材２の躯体固定片５と室内側部材３の下面壁２０ｂとが躯体２６にネジ２５ａ，２５ｂで固定される。タイト材保持溝１６，２２には、タイト材２７，２８がそれぞれ取付けられる。図示してないが、左右の竪枠１１も上枠１と同様に、室外側部材と室内側部材とに断熱ブリッジ材をかしめ連結した断熱性のものとなっている。図２中の符号２９は、ドアクローザーである。
【００２０】
本発明は以上に述べた実施形態に限定されない。断熱ブリッジ材４は、図５に示すように、室外側本体部７の室内側面と室内側本体部２０の室外側面との間に１つだけ設けることもできる。タッピングホール１７ｂは、下方に開口して設けることもできる。形材の断面形状は適宜変更することができ、例えば室外側本体部７は、室外側の上側や下側のコーナー部１９ａ，１９ｂをアール状に形成したり、上面壁７ａや室外側壁７ｂを若干傾斜したものとすることができる。ドア上枠は、形材にラミネート加工をしたもの、ラミネート加工をしないもののいずれであってもよい。
【図面の簡単な説明】
【００２１】
【図１】本発明のドア上枠の一実施形態を示す縦断面図である。
【図２】本発明のドア上枠を使用した玄関ドアの縦断面図である。
【図３】本発明のドア上枠を使用した玄関ドアの室外側正面図である。
【図４】ドア上枠を曲げ加工するときの様子を示す正面図である。
【図５】本発明のドア上枠の他の実施形態を示す縦断面図である。
【符号の説明】
【００２２】
１  ドア上枠
２  室外側部材
３  室内側部材
４  断熱ブリッジ材
５  躯体固定片
６  戸当り片
７  室外側本体部
１２  ドア枠
１４  扉体
２０  室内側本体部
２３  かしめ溝
３０  中空部
Ｔ１，Ｔ２  室外側本体部の室外側上側のコーナー部付近の肉厚
Ｔ３，Ｔ４  室外側本体部の室外側下側のコーナー部付近の肉厚
Ｔ５，Ｔ６  室外側本体部の室内側下側のコーナー部付近の肉厚
Ｔ７，Ｔ８  室外側本体部の室内側上側のコーナー部付近の肉厚
【図１】
2010071063.tif 000003
【図２】
2010071063.tif 000004
【図３】
2010071063.tif 000005
【図４】
2010071063.tif 000006
【図５】
2010071063.tif 000007